(57)【要約】 【課題】本発明は、建築物の外壁材として使用される外壁外断熱パネルに関する発明である。【解決手段】本発明は、上下に連結孔を穿設した略長方形状の正面板本体からなる正面板と、中央に連結孔を穿設した上下ナット隠しを設けた略長方形状の背面板本体からなる背面板と、前記正面板及び背面板を連結するための中央に貫通孔を設けた略台形状の上下連結板とからなることを特徴とするリブと、  上面に略四角柱の上凸部を平行且つ等間隔に複数備え、下面には中央に略円柱状の下凸部を等間隔に複数備え、更に前記略円柱状の下凸部の両側に平行して半円柱状の下凸部を備えた略直方体状の発泡スチロールからなる外壁材と、前記リブからなり、前記外壁材内にリブを平行且つ等間隔に更にリブの正面板及び背面板の外面が外壁材の外面と同じ高さになるように複数内包したことを特徴とする外壁外断熱パネルの構成とした。【選択図】  図１
2006274549.tif 000002
【特許請求の範囲】
【請求項１】
上下に連結孔を穿設した略長方形状の正面板本体からなる正面板と、中央に連結孔を穿設した上下ナット隠しを設けた略長方形状の背面板本体からなる背面板と、前記正面板及び背面板を連結するための中央に貫通孔を設けた略台形状の上下連結板とからなることを特徴とするリブ。
【請求項２】
上面に略四角柱の上凸部を平行且つ等間隔に複数備え、下面には中央に略円柱状の下凸部を等間隔に複数備え、更に前記略円柱状の下凸部の両側に平行して半円柱状の下凸部を備えた略直方体状の発泡スチロールからなる外壁材と、前記請求項１に記載のリブからなり、前記外壁材内にリブを平行且つ等間隔に更にリブの正面板及び背面板の外面が外壁材の外面と同じ高さになるように複数内包したことを特徴とする外壁外断熱パネル。
【請求項３】
第１連結孔及び第２連結孔を穿設した正面板本体からなる正面板と、第１連結孔及び第２連結孔を穿設した背面板本体からなる背面板と、前記正面板及び背面板を連結するため中央に複数の貫通孔を設け、正面板及び背面板との連結部分に複数の補強材を設けた連結板本体からなる連結板とからなることを特徴とするリブ。
【請求項４】
上面に略四角柱の上凸部を平行且つ等間隔に複数備え、下面には中央に略円柱状の下凸部を等間隔に複数備え、更に前記略円柱状の下凸部の両側に平行して半円柱状の下凸部を備えた略直方体状の発泡スチロールからなる外壁材と、前記請求項３に記載のリブからなり、前記外壁材内にリブを平行且つ等間隔に更にリブの正面板及び背面板の外面が外壁材の外面と同じ高さになるように複数内包したことを特徴とする外壁外断熱パネル。
【請求項５】
第１連結孔、第２連結孔、第３連結孔、第４連結孔を穿設した正面板本体からなる正面板と、第１連結孔、第２連結孔、第３連結孔、第４連結孔を穿設した背面板本体からなる背面板とからなることを特徴とする請求項３に記載のリブ。
【請求項６】
上面に略四角柱の上凸部を平行且つ等間隔に複数備え、下面には中央に略円柱状の下凸部を等間隔に複数備え、更に前記略円柱状の下凸部の両側に平行して半円柱状の下凸部を備えた略直方体状の発泡スチロールからなる外壁材と、前記請求項５に記載のリブからなり、前記外壁材内にリブを平行且つ等間隔に更にリブの正面板及び背面板の外面が外壁材の外面と同じ高さになるように複数内包したことを特徴とする外壁外断熱パネル。
【請求項７】
中央に連結孔を穿設した正面板本体と前記正面板本体上部に上連結部を介して上突起板を設け正面板本体下部に下連結部を介して下突起板を設けた正面板と、中央に連結孔を穿設した背面板本体からなる背面板とからなることを特徴とする請求項１に記載のリブ。
【請求項８】
上面に略四角柱の上凸部を平行且つ等間隔に複数備え、下面には中央に略円柱状の下凸部を等間隔に複数備え、更に前記略円柱状の下凸部の両側に平行して半円柱状の下凸部を備えた略直方体状の発泡スチロールからなる外壁材と、前記請求項７に記載のリブからなり、前記外壁材内にリブを平行且つ等間隔に更にリブの正面板及び背面板の外面が外壁材の外面と同じ高さになるように複数内包したことを特徴とする外壁外断熱パネル。
【発明の詳細な説明】
【技術分野】
【０００１】
本発明は、建築物の外壁材として使用される外壁外断熱パネルに関する発明である。
【背景技術】
【０００２】
従来、マンション、アパート等の建築物に使用される外壁は、コンパネを使用した鉄板製の外壁の型枠、石材を加工した石製の外壁、コンクリート製の外壁等であり、重量のある外壁を使用していた。
【０００３】
しかしながら、従来のコンパネを使用した鉄板製の外壁の型枠、石製の外壁、コンクリート製の外壁等は、耐火性、耐熱性等には優れているが、重量が大きいため運搬が容易ではなく、作業能率が悪くなる等の欠点があった。
【特許文献１】特開２００３−３１３９８０号公報
【発明の開示】
【発明が解決しようとする課題】
【０００４】
そこで、本発明は、従来の外壁に比べて非常に軽量で、かつ強度が強く、耐火性、耐熱性、遮音性、断熱性に優れている低コストの外壁外断熱パネルを提供することを目的とするものである。
【課題を解決するための手段】
【０００５】
本発明は、上記の課題を解決するために、上下に連結孔２ｂ、２ｃを穿設した略長方形状の正面板本体２ａからなる正面板２と、中央に連結孔を穿設した上下ナット隠し３ｄ、３ｅを設けた略長方形状の背面板本体３ａからなる背面板３と、前記正面板２及び背面板３を連結するための上下貫通孔４ｂ、５ｂを設けた略台形状の上下連結板４，５とからなることを特徴とするリブ１及び上面に略四角柱の上凸部７ｂを平行且つ等間隔に複数備え、下面には中央に略円柱状の下凸部７ｃを等間隔に複数備え、更に前記略円柱状の下凸部７ｃの両側に平行して半円柱状の下凸部７ｃを備えた略直方体状の発泡スチロールからなる外壁材７と、リブ１からなり、前記外壁材７内にリブ１を平行且つ等間隔に更にリブ１の正面板２及び背面板３の外面が外壁材７の外面と同じ高さになるように複数内包したことを特徴とする外壁外断熱パネルの構成とした。
【発明の効果】
【０００６】
第１に、本発明である外壁外断熱パネルは耐震性、耐火性、耐熱性、遮音性、断熱性に優れている。
【０００７】
第２に、外壁外断熱パネルが極めて軽量なため運搬及び取り扱いが容易にでき、外断熱パネルを取り外さないため施工方法も簡単であり、短時間で施工することができる。
【発明を実施するための最良の形態】
【０００８】
耐震性、耐火性、遮音性、断熱性に優れ、軽量で取り扱いが容易で、施工方法が簡単な外壁外断熱パネルという目的を軽量化されたリブと発泡スチロールからなる外壁外断熱パネルとすることによって実現した。
【実施例１】
【０００９】
図１は本発明である外壁外断熱パネル用リブの第１実施例の斜視図、図２は外壁外断熱パネル用リブの第１実施例の右側面図、図３は外壁外断熱パネル用リブの第１実施例のＡ−Ａ線に沿った断面図、図４は外壁外断熱パネル用リブの第１実施例の背面図である。
【００１０】
図１に示すように、本発明である外壁外断熱パネル用リブ１は、正面板２と背面板３と正面板２及び背面板３を連結する上下連結板４、５とからなる略台形状の外壁外断熱パネル用部材である。
【００１１】
正面板２は、１枚の略長方形状の正面板本体２ａからなり、正面板本体２ａの上部には上連結孔２ｂが穿設され、下部には下連結孔２ｃが穿設されている。上下連結孔２ｂ、２ｃは正面板本体２ａを貫通して穿設されている。
【００１２】
背面板３は、１枚の略長方形状の背面板本体３ａからなり、背面板本体３ａの中心と上端との真ん中に上ナット隠し３ｄが施されており、背面板本体３ａの中心と下端との真ん中に下ナット隠し３ｅが施されている。また、上ナット隠し３ｄの中心には上連結孔３ｆが穿設されており、下ナット隠し３ｅの中心には下連結孔３ｇが穿設されている。
【００１３】
正面板本体２ａの幅と背面板本体３ａの幅は同じであるが、正面板本体２ａの長さは背面板本体３ａの長さの半分程度である。正面板２と背面板３は、正面板２の上連結孔２ｂに背面板３の上連結孔３ｆが対応し、正面板２の下連結孔２ｃに背面板３の下連結孔３ｇが対応するように配置されて上下連結板４、５によって連結されている。
【００１４】
上連結板４は、略台形状の上連結板本体４ａからなり、上連結板本体４ａの中央には上貫通孔４ｂが施されている。また、下連結板５は、上連結板４と同形同大をしており、即ち、中央に下貫通孔５ｂが施された略台形状の下連結板本体５ａからなる。上下貫通孔４ｂ、５ｂはリブ１全体の軽量化を図る目的で強度を損なわない程度に施された上下上貫通孔４ｂ、５ｂである。
【００１５】
図１に示すように、上下連結板４、５は、傾斜部４ｃを設けて階段状に接続されており、また、正面板２及び背面板３との接続では、正面板２及び背面板３の縦の中心線よりずれた位置で接続されている。
【００１６】
図１及び図２に示すように、上連結板４と背面板３との接続部分は上補強突起３ｃ
により補強されており、下連結板５と背面板３との接続部分は下補強突起３ｈにより補強されている。また、上下連結板４、５の連結部と背面板３との接続部分は補強材３ｂにより補強されている。
【００１７】
図３に示すように、上下連結板４、５の連結部分の断面は略菱形状になっており、連結板で最も厚い部分となっている。前述のように上下連結板４、５は傾斜部４ｃ、５ｃを設けて階段状に連結されており、この傾斜部４ｃ、５ｃを設けた連結部材としたことで強度の強いリブ１を構成することができる。
【００１８】
図４に示すように背面板本体３ａには上下ナット隠し３ｄ、３ｅが設けられており、背面板本体３ａの表面にナットがはみ出して凸部ができないようにナットを埋め込むための凹みである。この上下ナット隠し３ｄ、３ｅの中心には上下連結孔３ｆ、３ｇが穿設されている。更に上下ナット隠し３ｄ、３ｅにナットを埋め込んで使うため、ボルトとナットの螺合の際にナットの回転防止のためレンチやペンチ等を使用しなくても、ナット隠しによりナットは回転せず簡単に螺合することができる。
【００１９】
図５は、本発明である外壁外断熱パネルの斜視図である。図５に示すように、外壁外断熱パネル６は、外壁材７とリブ１とからなり、外壁材７内にリブ１が平行且つ等間隔に複数埋設された構造をしている。リブ１の正面板２及び背面板３の一部の面は、外壁材７内に埋め込まれておらず、外壁材７の面と同じ高さとなり外壁外断熱パネル６の面を構成している。外壁材７は、上面に無数の上凸部７ｂ、７ｂ、７ｂ・・・を備え、下面に無数の下凸部７ｃ、７ｃ、７ｃ・・・を備えた発泡スチロール７ａからなる。
【００２０】
上凸部７ｂは、四角柱の突起部であり、前述のように発泡スチロール７ａの上面に２列で等間隔にお互いの角同士を近づけるように設けられている。一方、下凸部７ｃは円柱の突起部と半円柱の突起部とからなり、発泡スチロール７ａの下面中央に円柱の下凸部が１列で等間隔に設けられており、円柱の下凸部の両側に半円柱の直線部が外側を向くように半円柱の下凸部が等間隔に設けられている。尚、円柱の下凸部の中央には凹部７ｄが設けられている。
【００２１】
図６は、外壁外断熱パネルを使用した施工状況を示した斜視図である。図６に示すように、まず、外壁外断熱パネル６のリブ１の背面板３に設けた上ナット隠し３ｄにナットを嵌入させ、次に正面板２に設けた上連結孔２ｂと背面板３の上連結孔３ｆに固定棒９ａを挿通させて固定棒９ａの一端を上ナット隠し３ｄに嵌入したナットに螺合する。
【００２２】
固定棒９ａの他端にはジョイナー８を螺合し、更に連結棒９を螺入する。連結棒９の他端にはコーン１０を螺合し、ベニヤ板１３に貫通させてナット１１で留める。同じように背面板３の下ナット隠し３ｅにナットを嵌入させ、正面板２に設けた下連結孔２ｃと背面板３の下連結孔３ｇに固定棒９ａを挿通させて固定棒９ａの一端を下ナット隠し３ｅに嵌入したナットに螺合する。
【００２３】
固定棒９ａの他端にはジョイナー８を螺合し、更に連結棒９を螺入する。連結棒９の他端にはコーン１０を螺合し、ベニヤ板１３に貫通させてナット１１で留める。このように外壁外断熱パネル６のリブ１とベニヤ板１３を連結し、その間にコンクリート１２を流し込む。コンクリート１２が固まったら、ナット１１を外してベニヤ板１３を外し、更にコーン１０を取り外す。
【００２４】
図７は、本発明である外壁外断熱パネルを使用した施工状況を示した側面図である。図７に示すように前述のコンクリート１２が固まり、ナット１１やベニヤ板１３、コーン１０を外した後、コンクリート１２にはコーン１０により凹部１２ａができあがっており、この凹部１２ａ内に突出した連結棒９にナット１１ａを螺合することでコンクリート１２と外壁外断熱パネル６はしっかりと固定される。
【００２５】
外壁外断熱パネル６の外壁面には防水材１４やネット１５を施し、更にタイル等で仕上げる。図６及び図７で示したように、外壁を形成する際に一方を外壁外断熱パネル６とし、他方をベニヤ板１３として外壁の型枠を形成し、その間にコンクリート１２を流し込んで固め、出来上がった外壁をコンクリート面と外壁外断熱パネル６の面としたが、外壁外断熱パネル６を両側の型枠として使用し、出来上がった外壁を内外とも外壁外断熱パネル６の面として耐熱性、断熱性、耐震性等を更に向上させることもできる。
【００２６】
図８は、本発明である外壁外断熱パネルを連結状態を示した拡大図である。図８に示したように、外壁外断熱パネル６を重ねる場合、下に来る外壁外断熱パネル６の上凸部７ｂ、７ｂ、７ｂ・・・の間に、上に来る外壁外断熱パネル６の下凸部７ｃ、７ｃ、７ｃ・・・が嵌り込み、しっかりと連結される。
【実施例２】
【００２７】
図９は、本発明である外壁外断熱パネル用リブの第２実施例を示した図である。図９に示すようにリブ１ａは正面板１６と背面板１７と正面板１６及び背面板１７を連結する連結板１８とからなる。正面板１６は第１連結孔１６ｂ及び第２連結孔１６ｃを穿設した正面板本体１６ａからなり、背面板１７は第１連結孔１７ｂと第２連結孔１７ｃを穿設した背面板本体１７ａからなる。
【００２８】
連結板１８は、複数の貫通孔１８ｂ、１８ｃを設けた連結板本体１８ａからなり、正面板１６及び背面板１７との連結を強化するために複数箇所に補強材１８ｄが取り付けられている。貫通孔１８ｂ、１８ｃはリブ１ａの重量を軽くするために設けられた貫通孔で、連結板１８の上部及び下部に設けられた貫通孔１８ｂよりも内側に設けられた貫通孔１８ｃ、１８ｃの方が若干大きい。
【００２９】
この縦長の貫通孔１８ｂ、１８ｃの大きさの違いは特に限定したものではなく、全て同じ大きさの貫通孔としてもよく、リブ１ａとしての強度が強く、且つ軽量である状態で貫通孔を設けることが望ましい。
【００３０】
正面板１６と背面板１７に穿設された各第１連結孔１６ｂ、１７ｂ同士、各第２連結孔１６ｃ、１７ｃ同士が同じ位置で向かい合うように位置している。また、第１連結孔１７ｂ及び第２連結孔１７ｃの外周はナット隠しのため凹部となっており、ナットを嵌入することができる。
【実施例３】
【００３１】
図１０は、本発明である外壁外断熱パネル用リブの第３実施例を示した図である。図１０に示すようにリブ1ｂは、リブ１ａの長さを更に伸ばしたもので、正面板１６と背面板１７と正面板１６および背面板１７を連結する連結板１８とからなる。
【００３２】
正面板１６は第１連結孔１６ｂ、第２連結孔１６ｃ、第３連結孔１６ｄ、第４連結孔１６ｅを穿設した正面板本体１６ａからなり、背面板１７は第１連結孔１７ｂ、第２連結孔１７ｃ、第３連結孔１７ｄ、第４連結孔１７ｅを穿設した背面板本体１７ａからなる。
【００３３】
連結板１８は、複数の貫通孔１８ｂ、１８ｃを設けた連結板本体１８ａからなり、正面板１６及び背面板１７との連結を強化するために複数箇所に補強材１８ｄが取り付けられている。貫通孔１８ｂ、１８ｃはリブ１ｂの重量を軽くするために設けられた貫通孔で、連結板１８の上部及び下部に設けられた貫通孔１８ｂよりも内側に設けられた貫通孔１８ｃ、１８ｃ・・・の方が若干大きい。
【００３４】
この縦長の大径孔１８ｂ、１８ｃの大きさの違いは特に限定したものではなく、全て同じ大きさの貫通孔としてもよく、リブ１ｂとしての強度が強く、且つ軽量である状態で貫通孔を設けることが望ましい。
【００３５】
正面板１６と背面板１７に穿設された各第１連結孔１６ｂ、１７ｂ同士、各第２連結孔１６ｃ、１７ｃ同士、各第３連結孔１６ｄ、１７ｄ同士、各第４連結孔１６ｅ、１７ｅ同士が同じ位置で向かい合うように位置している。また、第１連結孔１７ｂ、第２連結孔１７ｃ、第３連結孔１７ｄ、第４連結孔１７ｅの外周はナット隠しのため凹部となっており、ナットを嵌入できるようになっている。
【００３６】
図１１は、本発明である外壁外断熱パネル用リブの第３実施例を使用した外壁外断熱パネルを示した図である。図１１に示すように、外壁外断熱パネル６ａは、外壁材１９と複数のリブ１ｂ、１ｂ、１ｂとからなり、リブ１ｂが外壁外断熱パネル１９に埋設されている。
【００３７】
外壁材１９は、上部に無数の上凸部１９ｂ、１９ｂ、１９ｂを備え、下部に無数の下凸部１９ｃ、１９ｃ、１９ｃを備えた発泡スチロール１９ａからなる。外壁材１９にリブ１ｂが埋設されているが、これはリブ１ｂの正面板１６の正面がむき出しの状態で埋設され、他の外壁面と正面板１６の正面が同じ高さになっている。また、リブ１ｂの背面板１７も同様にむき出しの状態で埋設され、他の外壁面と背面板１７の背面が同じ高さになっている。
【００３８】
上凸部１９ｂの形状及び配置方法は外壁外断熱パネル６の上凸部７ｂと同様に四角柱であり、お互いの角を向き合わせた状態で設けられている。また、下凸部１９ｃの形状及び配置方法も外壁外断熱パネル６の下凸部７ｃと同様に中央に円柱の凸部を設け、その両側に半円中の凸部を設けている。更に、円柱状の下凸部１９ｃの中央には凹部が設けられている。
【００３９】
外壁外断熱パネル６ａ同士は縦に積み重ねて使用することができ、その際は、下にくる外壁外断熱パネル６ａの上凸部１９ｂ、１９ｂ、１９ｂ・・・の間に上にくる外壁外断熱パネル６ａの下凸部１９ｃ、１９ｃ、１９ｃ・・・をかみ合わせることによってしっかりと連結できる。また、この連結を強化するために接着剤等を使用することも可能である。
【実施例４】
【００４０】
図１２は、本発明である外壁外断熱パネル用リブの第４実施例を示した図である。図１２に示すようにリブ1ｃは正面板２０と背面板２３と、正面板２０と背面板２３を連結するための上下連結板２１、２２からなり、上下連結板２１、２２は実施例１で示した上下連結板４、５と同じ構造をしている。即ち、上連結板２１は、貫通孔２１ｂを設けた略台形状の上連結板本体２１ａからなり、下連結板２２は、貫通孔２２ｂを設けた略台形状の下連結板本体２２ａからなる。
【００４１】
正面板２０は中央に連結孔２０ｂを穿設し、正面上部に上突起板２０ｃを備え、正面下部に下突起版２０ｄを備えた長方形状の正面板本体２０ａからなり、正面板本体２０ａと上突起板２０ｃは上連結部２０ｅにより連結され、正面板本体２０ａと下突起板２０ｄは下連結部２０ｆによって連結されている。
【００４２】
背面板２３は中央に連結孔２３ｅを穿設した長方形状の背面板本体２３ａからなり、背面板本体２３ａと上連結板本体２１ａの接続を強化するための上補強突起２３ｃと、背面板本体２３ａと下連結板本体２２ａの接続を強化するための下補強突起２３ｄが取り付けられている。
【００４３】
また、背面板本体２３ａの中央には、背面板本体２３ａと上下連結板本体２２ａ、２３ａを一緒に連結し、更に強化するための補強材２３ｂが取り付けられている。これらの補強材や補強突起を用いているため、リブ１ｃは強い強度を維持できる。
【００４４】
正面板本体２０ａと背面板本体２３ａの幅は一緒であるが、正面板本体２０ａは、背面板本体２３ａよりも縦の長さが短くなっており、正面板本体２０ａに穿設された連結孔２０ｂと背面板本体２３ａに穿設された連結孔２３ｅが同じ位置にくるように上下連結板２１、２２により連結されている。
【００４５】
リブ１ｃを使用した外壁外断熱パネルでは、上下突起板２０ｃ、２０ｄは外壁材である発泡スチロール面より突出している状態で、外壁材内へ埋設されており、突出した上下突起板２０ｃ、２０ｄは流し込まれるコンクリート内に固定される。
【図面の簡単な説明】
【００４６】
【図１】本発明である外壁外断熱パネル用リブの第１実施例の斜視図である。
【図２】本発明である外壁外断熱パネル用リブの右側面図である。
【図３】本発明である外壁外断熱パネル用リブのＡ−Ａ線に沿った断面図である。
【図４】本発明である外壁外断熱パネル用リブの背面図である。
【図５】本発明である外壁外断熱パネルの斜視図である。
【図６】本発明である外壁外断熱パネルを使用した施工状況を示した斜視図である。
【図７】本発明である外壁外断熱パネルを使用した施工状況を示した側面図である。
【図８】本発明である外壁外断熱パネルを連結状態を示した拡大図である。
【図９】本発明である外壁外断熱パネル用リブの第２実施例を示した図である。
【図１０】本発明である外壁外断熱パネル用リブの第３実施例を示した図である。
【図１１】本発明である外壁外断熱パネル用リブの第３実施例を使用した外壁外断熱パネルを示した図である。
【図１２】本発明である外壁外断熱パネル用リブの第４実施例を示した図である。
【符号の説明】
【００４７】
１    リブ
１ａ  リブ
１ｂ  リブ
１ｃ  リブ
２    正面板
２ａ  正面板本体
２ｂ  上連結孔
２ｃ  下連結孔
３    背面板
３ａ  背面板本体
３ｂ  補強材
３ｃ  上補強突起
３ｄ  上ナット隠し
３ｅ  下ナット隠し
３ｆ  上連結孔
３ｇ  下連結孔
３ｈ  下補強突起
４    上連結板
４ａ  上連結板本体
４ｂ  上貫通孔
４ｃ  傾斜部
５    下連結板
５ａ  下連結板本体
５ｂ  下貫通孔
５ｃ  傾斜部
６    外壁外断熱パネル
６ａ  外壁外断熱パネル
７    外壁材
７ａ  発泡スチロール
７ｂ  上凸部
７ｃ  下凸部
７ｄ  凹部
８    ジョイナー
９    連結棒
９ａ  固定棒
１０    コーン
１１    ナット
１１ａ  ナット
１２    コンクリート
１２ａ  凹部
１３    ベニヤ板
１４    防水材
１５    ネット
１６    正面板
１６ａ  正面板本体
１６ｂ  第１連結孔
１６ｃ  第２連結孔
１６ｄ  第３連結孔
１６ｅ  第４連結孔
１７    背面板
１７ａ  背面板本体
１７ｂ  第１連結孔
１７ｃ  第２連結孔
１７ｄ  第３連結孔
１７ｅ  第４連結孔
１８    連結板
１８ａ  連結板本体
１８ｂ  貫通孔
１８ｃ  貫通孔
１８ｄ  補強材
１９    外壁材
１９ａ  発泡スチロール
１９ｂ  上凸部
１９ｃ  下凸部
２０    正面板
２０ａ  正面板本体
２０ｂ  連結孔
２０ｃ  上突起板
２０ｄ  下突起板
２０ｅ  上連結部
２０ｆ  下連結部
２１    上連結板
２１ａ  上連結板本体
２１ｂ  貫通孔
２２    下連結板
２２ａ  下連結板本体
２２ｂ  貫通孔
２３    背面板
２３ａ  背面板本体
２３ｂ  補強材
２３ｃ  上補強突起
２３ｄ  下補強突起
２３ｅ  連結孔
【図１】
2006274549.tif 000003
【図２】
2006274549.tif 000004
【図３】
2006274549.tif 000005
【図４】
2006274549.tif 000006
【図５】
2006274549.tif 000007
【図６】
2006274549.tif 000008
【図７】
2006274549.tif 000009
【図８】
2006274549.tif 000010
【図９】
2006274549.tif 000011
【図１０】
2006274549.tif 000012
【図１１】
2006274549.tif 000013
【図１２】
2006274549.tif 000014
【手続補正書】
【提出日】平成17年9月12日(2005.9.12)
【手続補正１】
【補正対象書類名】特許請求の範囲
【補正対象項目名】全文
【補正方法】変更
【補正の内容】
【特許請求の範囲】
【請求項１】
略長方形状の正面板本体の上部には上連結孔が穿設されているとともに、前記正面板本体の下部には下連結孔が穿設されている正面板と、略長方形状の背面板本体の中心と上端との真ん中には中心に上連結孔を穿設した上ナット隠しがあり、前記背面板本体の中心と下端との真ん中には中心に下連結孔を穿設した下ナット隠しがある背面板と、前記正面板の上連結孔に前記背面板の上ナット隠しに穿設され上連結孔が対応し、前記正面板と前記背面板の縦の中心線より一方にズレた位置で接続し中央に上貫通孔を設け前記正面板と前記背面板とを接続する略台形状の上連結板と、前記正面板の下連結孔に前記背面板の下ナット隠しに穿設された下連結孔が対応し、前記正面板と前記背面板の縦の中心線より前記上連結板と逆方向にズレた位置で接続し中央に下貫通孔を設け、前記正面板と前記背面板を接続する略台形状の下連結板とからなり、前記上連結板と前記下連結板が連結する連結結合部の断面が略菱形状であることを特徴とする外壁外断熱パネル用リブ。
【請求項２】
上連結板と背面板との接続部分には上補強突起を、下連結板と背面板との接続部分には下補強突起を、前記上連結板と前記下連結板との連結結合部と背面板との接続部分には補強材を設けたことを特徴とする請求項１に記載の外壁外断熱パネル用リブ。
【請求項３】
正面板本体の上部には第１連結孔を穿設するとともに、前記正面板本体の下部には第２連結孔を穿設した正面板と、背面板本体の上部にはナットが嵌入し隠れるための凹部を形成した第１連結孔を穿設するとともに、前記背面板本体の下部にはナットが嵌入し隠れるための凹部を形成した第２連結孔を穿設した背面板と、軽量化するために上部及び下部に設けた貫通孔よりも内側に設けた貫通孔を若干大きい複数の貫通孔を設け、前記正面板と前記背面板とを連結する連結板とからなり、前記正面板と前記連結板が連結する連結結合部及び前記背面板と前記連結板が連結する連結結合部に連結を強化するために複数の補強材を取り付け、前記正面板と前記背面板に穿設された各第１連結孔同士及び各第２連結孔同士が同じ位置で向かい合うようにしたことを特徴とする外壁外断熱パネル用リブ。
【請求項４】
貫通孔を同じ大きさとしたことを特徴とする請求項３に記載の外壁外断熱パネル用リブ。
【請求項５】
略長方形状の正面板本体の正面上部には連結部を介して上突起板を設けるとともに正面下部には下連結部を介して下突起板を設け、中央には連結孔を穿設した正面板と、略長方形状の背面板本体の中央に連結孔を穿設した背面板と、前記正面板と前記背面板の縦の中心線より一方にズレた位置で接続し、前記正面板と前記背面板とを接続する略台形状の上連結板と、前記正面板と前記背面板の縦の中心線より前記上連結板と逆方向にズレた位置で接続し前記正面板と前記背面板を接続する略台形状の下連結板とからなり、前記上連結板と前記下連結板が連結する連結結合部に前記連結孔に連通する貫通孔を穿設し、前記連結結合部の断面が略菱形状であることを特徴とする外壁外断熱パネル用リブ。
【請求項６】
上面には略四角柱の上凸部が平行且つ等間隔にあり、下面には中央に略円柱状の下凸部を等間隔にあり、前記略円柱状の下凸部の両側に平行して半円柱状の下凸部を有する略直方体状の発泡スチロールの外壁材と、請求項１に記載の外壁外断熱パネル用リブとからなり、前記外壁材内に前記外壁外断熱パネル用リブを平行且つ等間隔に外壁外断熱パネル用リブの正面板及び背面板の外面が外壁材の外面と同じ高さになるように外壁材内に外壁外断熱パネル用リブを平行且つ等間隔に複数埋設させたことを特徴とする外壁外断熱パネル。
【請求項７】
上面には略四角柱の上凸部が平行且つ等間隔にあり、下面には中央に略円柱状の下凸部を等間隔にあり、前記略円柱状の下凸部の両側に平行して半円柱状の下凸部を有する略直方体状の発泡スチロールの外壁材７と、請求項３に記載の外壁外断熱パネル用リブとからなり、前記外壁材内に前記外壁外断熱パネル用リブを平行且つ等間隔に外壁外断熱パネル用リブの正面板及び背面板の外面が外壁材の外面と同じ高さになるように外壁材内に外壁外断熱パネル用リブを平行且つ等間隔に複数埋設させたことを特徴とする外壁外断熱パネル。
【請求項８】
上面には略四角柱の上凸部が平行且つ等間隔にあり、下面には中央に略円柱状の下凸部を等間隔にあり、前記略円柱状の下凸部の両側に平行して半円柱状の下凸部を有する略直方体状の発泡スチロールの外壁材と、請求項５に記載の外壁外断熱パネル用リブとからなり、前記外壁材内に前記外壁外断熱パネル用リブを平行且つ等間隔に外壁外断熱パネル用リブの正面板及び背面板の外面が外壁材の外面と同じ高さになるように外壁材内に外壁外断熱パネル用リブを平行且つ等間隔に複数埋設させたことを特徴とする外壁外断熱パネル。
【手続補正２】
【補正対象書類名】明細書
【補正対象項目名】全文
【補正方法】変更
【補正の内容】
【発明の詳細な説明】
【技術分野】
【０００１】
本発明は、建築物の外壁材として使用される外壁外断熱パネルに関する発明である。
【背景技術】
【０００２】
従来、マンション、アパート等の建築物に使用される外壁は、コンパネを使用した鉄板製の外壁の型枠、石材を加工した石製の外壁、コンクリート製の外壁等であり、重量のある外壁を使用していた。
【０００３】
しかしながら、従来のコンパネを使用した鉄板製の外壁の型枠、石製の外壁、コンクリート製の外壁等は、耐火性、耐熱性等には優れているが、重量が大きいため運搬が容易ではなく、作業能率が悪くなる等の欠点があった。
【特許文献１】特開２００３−３１３９８０号公報
【発明の開示】
【発明が解決しようとする課題】
【０００４】
そこで、本発明は、従来の外壁に比べて非常に軽量で、かつ強度が強く、耐火性、耐熱性、遮音性、断熱性に優れている低コストの外壁外断熱パネルを提供することを目的とするものである。
【課題を解決するための手段】
【０００５】
本発明は、上記の課題を解決するために、略長方形状の正面板本体２ａの上部には上連結孔２ｂが穿設されているとともに、前記正面板本体２ａの下部には下連結孔２ｃが穿設されている正面板２と、略長方形状の背面板本体３ａの中心と上端との真ん中には中心に上連結孔３ｆを穿設した上ナット隠し３ｄがあり、前記背面板本体３ａの中心と下端との真ん中には中心に下連結孔３ｊを穿設した下ナット隠し３ｅがある背面板３と、前記正面板２の上連結孔２ｂに前記背面板３の上ナット隠し３ｄに穿設され上連結孔３ｆが対応し、前記正面板２と前記背面板３の縦の中心線より一方にズレた位置で接続し中央に上貫通孔４ｂを設け前記正面板２と前記背面板３とを接続する略台形状の上連結板４と、前記正面板２の下連結孔２ｃに前記背面板３の下ナット隠し３ｅに穿設された下連結孔３ｇが対応し、前記正面板２と前記背面板３の縦の中心線より前記上連結板２と逆方向にズレた位置で接続し中央に下貫通孔５ｂを設け、前記正面板２と前記背面板３を接続する略台形状の下連結板５とからなり、前記上連結板４と前記下連結板５が連結する連結結合部の断面が略菱形状であることを特徴とする外壁外断熱パネル用リブの構成、正面板本体１６ａの上部には第１連結孔１６ｂを穿設するとともに、前記正面板本体１６ａの下部には第２連結孔を穿設した正面板１６と、
背面板本体１７ａの上部にはナットが嵌入し隠れるための凹部を形成した第１連結孔１７ｂを穿設するとともに、前記背面板本体１７ａの下部にはナットが嵌入し隠れるための凹部を形成した第２連結孔１７ｃを穿設した背面板１７と、軽量化するために上部及び下部に設けた貫通孔１８ｂ、１８ｂよりも内側に設けた貫通孔１８ｃ、１８ｃを若干大きい複数の貫通孔１８ｂ、１８ｃを設け、前記正面板１６と前記背面板１７とを連結する連結板１８とからなり、前記正面板１６と前記連結板１８が連結する連結結合部及び前記背面板１７と前記連結板１８が連結する連結結合部に連結を強化するために複数の補強材１８ｄを取り付け、前記正面板１６と前記背面板１７に穿設された各第１連結孔１６ｂ、１７ｂ同士及び各第２連結孔１６ｃ、１７ｃ同士が同じ位置で向かい合うようにしたことを特徴とする外壁外断熱パネル用リブの構成、略長方形状の正面板本体２０ａの正面上部には連結部２０ｅを介して上突起板２０ｃを設けるとともに正面下部には下連結部２０ｆを介して下突起板２０ｄを設け、中央には連結孔２０ｂを穿設した正面板２と、略長方形状の背面板本体３ａの中央に連結孔２３ｅを穿設した背面板３と、前記正面板２０と前記背面板２３の縦の中心線より一方にズレた位置で接続し、前記正面板２０と前記背面板２３とを接続する略台形状の上連結板２１と、前記正面板２０と前記背面板２３の縦の中心線より前記上連結板２１と逆方向にズレた位置で接続し前記正面板２０と前記背面板２３を接続する略台形状の下連結板２２とからなり、前記上連結板２１と前記下連結板２２が連結する連結結合部に前記連結孔２３ｅに連通する貫通孔２３ｆを穿設し、前記連結結合部の断面が略菱形状であることを特徴とする外壁外断熱パネル用リブの構成、上面には略四角柱の上凸部７ｂが平行且つ等間隔にあり、下面には中央に略円柱状の下凸部７ｃを等間隔にあり、前記略円柱状の下凸部７ｃの両側に平行して半円柱状の下凸部７ｃを有する略直方体状の発泡スチロール７ａの外壁材７と、請求項１に記載の外壁外断熱パネル用リブ１とからなり、前記外壁材７内に前記外壁外断熱パネル用リブ１を平行且つ等間隔に外壁外断熱パネル用リブ１の正面板２及び背面板３の外面が外壁材７の外面と同じ高さになるように外壁材７内に外壁外断熱パネル用リブ１を平行且つ等間隔に複数埋設させたことを特徴とする外壁外断熱パネルの構成、上面には略四角柱の上凸部７ｂが平行且つ等間隔にあり、下面には中央に略円柱状の下凸部７ｃを等間隔にあり、前記略円柱状の下凸部７ｃの両側に平行して半円柱状の下凸部７ｃを有する略直方体状の発泡スチロール７ａの外壁材７と、請求項３に記載の外壁外断熱パネル用リブ１とからなり、前記外壁材７内に前記外壁外断熱パネル用リブ１を平行且つ等間隔に外壁外断熱パネル用リブ１の正面板２及び背面板３の外面が外壁材７の外面と同じ高さになるように外壁材７内に外壁外断熱パネル用リブ１を平行且つ等間隔に複数埋設させたことを特徴とする外壁外断熱パネルの構成及び上面には略四角柱の上凸部７ｂが平行且つ等間隔にあり、下面には中央に略円柱状の下凸部７ｃを等間隔にあり、前記略円柱状の下凸部７ｃの両側に平行して半円柱状の下凸部７ｃを有する略直方体状の発泡スチロール７ａの外壁材７と、請求項５に記載の外壁外断熱パネル用リブ１とからなり、前記外壁材７内に前記外壁外断熱パネル用リブ１を平行且つ等間隔に外壁外断熱パネル用リブ１の正面板２及び背面板３の外面が外壁材７の外面と同じ高さになるように外壁材７内に外壁外断熱パネル用リブ１を平行且つ等間隔に複数埋設させたことを特徴とする外壁外断熱パネルの構成とした。
【発明の効果】
【０００６】
第１に、本発明である外壁外断熱パネルは耐震性、耐火性、耐熱性、遮音性、断熱性に優れている。
【０００７】
第２に、外壁外断熱パネルが極めて軽量なため運搬及び取り扱いが容易にでき、外断熱パネルを取り外さないため施工方法も簡単であり、短時間で施工することができる。
【発明を実施するための最良の形態】
【０００８】
耐震性、耐火性、遮音性、断熱性に優れ、軽量で取り扱いが容易で、施工方法が簡単な外壁外断熱パネルという目的を軽量化された外壁外断熱パネル用リブと発泡スチロールからなる外壁外断熱パネルとすることによって実現した。
【実施例１】
【０００９】
図１は本発明である外壁外断熱パネル用リブの第１実施例の斜視図、図２は外壁外断熱パネル用リブの第１実施例の右側面図、図３は外壁外断熱パネル用リブの第１実施例のＡ−Ａ線に沿った断面図、図４は外壁外断熱パネル用リブの第１実施例の背面図である。
【００１０】
図１に示すように、本発明である外壁外断熱パネル用リブ１は、正面板２と背面板３と正面板２及び背面板３を連結する上下連結板４、５とからなる略台形状の外壁外断熱パネル用部材である。
【００１１】
正面板２は、１枚の略長方形状の正面板本体２ａからなり、正面板本体２ａの上部には上連結孔２ｂが穿設され、下部には下連結孔２ｃが穿設されている。上下連結孔２ｂ、２ｃは正面板本体２ａを貫通して穿設されている。
【００１２】
背面板３は、１枚の略長方形状の背面板本体３ａからなり、背面板本体３ａの中心と上端との真ん中に上ナット隠し３ｄが施されており、背面板本体３ａの中心と下端との真ん中に下ナット隠し３ｅが施されている。また、上ナット隠し３ｄの中心には上連結孔３ｆが穿設されており、下ナット隠し３ｅの中心には下連結孔３ｇが穿設されている。
【００１３】
正面板本体２ａの幅と背面板本体３ａの幅は同じであるが、正面板本体２ａの長さは背面板本体３ａの長さの半分程度である。正面板２と背面板３は、正面板２の上連結孔２ｂに背面板３の上連結孔３ｆが対応し、正面板２の下連結孔２ｃに背面板３の下連結孔３ｇが対応するように配置されて上下連結板４、５によって連結されている。
【００１４】
上連結板４は、略台形状の上連結板本体４ａからなり、上連結板本体４ａの中央には上貫通孔４ｂが施されている。また、下連結板５は、上連結板４と同形同大である。
【００１５】
即ち、中央に下貫通孔５ｂが施された略台形状の下連結板本体５ａからなる。上下貫通孔４ｂ、５ｂは外壁外断熱パネル用リブ１全体の軽量化を図る目的で強度を損なわない程度に施された上下上貫通孔４ｂ、５ｂである。
【００１６】
図１に示すように、上下連結板４、５は、傾斜部４ｃ、５ｃを設けて階段状に接続されており、また、正面板２及び背面板３との接続では、正面板２及び背面板３の縦の中心線よりずれた位置で接続されている。
【００１７】
図１及び図２に示すように、上連結板４と背面板３との接続部分は上補強突起３ｃにより補強されており、下連結板５と背面板３との接続部分は下補強突起３ｈにより補強されている。また、上下連結板４、５の連結部と背面板３との接続部分は補強材３ｂにより補強されている。
【００１８】
図３に示すように、上下連結板４、５の連結結合部の断面は略菱形状になっており、連結板で最も厚い部分となっている。前述のように上下連結板４、５は傾斜部４ｃ、５ｃを設けて階段状に連結されており、この傾斜部４ｃ、５ｃを設けた連結部材としたことで強度の強い外壁外断熱パネル用リブ１を構成することができる。
【００１９】
図４に示すように、背面板本体３ａには上下ナット隠し３ｄ、３ｅが設けられており、背面板本体３ａの表面にナットがはみ出して凸部ができないようにナットを埋め込むための凹みである。
【００２０】
この上下ナット隠し３ｄ、３ｅの中心には上下連結孔３ｆ、３ｇが穿設されている。更に上下ナット隠し３ｄ、３ｅにナットを埋め込んで使うため、ボルトとナットの螺合の際にナットの回転防止のためレンチやペンチ等を使用しなくても、ナット隠しによりナットは回転せず簡単に螺合することができる。
【００２１】
図５は、本発明である外壁外断熱パネルの斜視図である。図５に示すように、外壁外断熱パネル６は、外壁材７と外壁外断熱パネル用リブ１とからなり、外壁材７内に外壁外断熱パネル用リブ１が平行且つ等間隔に複数埋設された構造をしている。
【００２２】
外壁外断熱パネル用リブ１の正面板２及び背面板３の一部の面は、外壁材７内に埋め込まれておらず、外壁材７の面と同じ高さとなり外壁外断熱パネル６の面を構成している。外壁材７は、上面に無数の上凸部７ｂ、７ｂ、７ｂ・・・を備え、下面に無数の下凸部７ｃ、７ｃ、７ｃ・・・を備えた発泡スチロール７ａからなる。
【００２３】
上凸部７ｂは、四角柱の突起部であり、前述のように発泡スチロール７ａの上面に２列で等間隔にお互いの角同士を近づけるように設けられている。一方、下凸部７ｃは円柱の突起部と半円柱の突起部とからなる。
【００２４】
発泡スチロール７ａの下面中央に円柱の下凸部が１列で等間隔に設けられており、円柱の下凸部の両側に半円柱の直線部が外側を向くように半円柱の下凸部が等間隔に設けられている。尚、円柱の下凸部の中央には凹部７ｄが設けられている。
【００２５】
図６は、外壁外断熱パネルを使用した施工状況を示した斜視図である。図６に示すように、まず、外壁外断熱パネル６の外壁外断熱パネル用リブ１の背面板３に設けた上ナット隠し３ｄにナットを嵌入させ、次に正面板２に設けた上連結孔２ｂと背面板３の上連結孔３ｆに固定棒９ａを挿通させて固定棒９ａの一端を上ナット隠し３ｄに嵌入したナットに螺合する。
【００２６】
固定棒９ａの他端にはジョイナー８を螺合し、更に連結棒９を螺入する。連結棒９の他端にはコーン１０を螺合し、ベニヤ板１３に貫通させてナット１１で留める。同じように背面板３の下ナット隠し３ｅにナットを嵌入させ、正面板２に設けた下連結孔２ｃと背面板３の下連結孔３ｇに固定棒９ａを挿通させて固定棒９ａの一端を下ナット隠し３ｅに嵌入したナットに螺合する。
【００２７】
固定棒９ａの他端にはジョイナー８を螺合し、更に連結棒９を螺入する。連結  棒９の他端にはコーン１０を螺合し、ベニヤ板１３に貫通させてナット１１で留める。
【００２８】
このように、外壁外断熱パネル６の外壁外断熱パネル用リブ１とベニヤ板１３を連結し、その間にコンクリート１２を流し込む。コンクリート１２が固まったら、ナット１１を外してベニヤ板１３を外し、更にコーン１０を取り外す。
【００２９】
図７は、本発明である外壁外断熱パネルを使用した施工状況を示した側面図である。図７に示すように前述のコンクリート１２が固まり、ナット１１やベニヤ板１３、コーン１０を外した後、コンクリート１２にはコーン１０により凹部１２ａができあがっており、この凹部１２ａ内に突出した連結棒９にナット１１ａを螺合することでコンクリート１２と外壁外断熱パネル６はしっかりと固定される。
【００３０】
外壁外断熱パネル６の外壁面には防水材１４やネット１５を施し、更にタイル等で仕上げる。図６及び図７で示したように、外壁を形成する際に一方を外壁外断熱パネル６とし、他方をベニヤ板１３として外壁の型枠を形成し、その間にコンクリート１２を流し込んで固め、出来上がった外壁をコンクリート１２面と外壁外断熱パネル６の面としたが、外壁外断熱パネル６を両側の型枠として使用し、出来上がった外壁を内外とも外壁外断熱パネル６の面として耐熱性、断熱性、耐震性等を更に向上させることもできる。
【００３１】
図８は、本発明である外壁外断熱パネルを連結状態を示した拡大図である。図８に示したように、外壁外断熱パネル６を重ねる場合、下に来る外壁外断熱パネル６の上凸部７ｂ、７ｂ、７ｂ・・・の間に、上に来る外壁外断熱パネル６の下凸部７ｃ、７ｃ、７ｃ・・・が嵌り込み、しっかりと連結される。
【実施例２】
【００３２】
図９は、本発明である外壁外断熱パネル用リブの第２実施例を示した図である。図９に示すように外壁外断熱パネル用リブ１ａは正面板１６と背面板１７と正面板１６及び背面板１７を連結する連結板１８及び補強材１８ｄとからなる。正面板１６は第１連結孔１６ｂ及び第２連結孔１６ｃを穿設した正面板本体１６ａからなり、背面板１７は第１連結孔１７ｂと第２連結孔１７ｃを穿設した背面板本体１７ａからなる。
【００３３】
連結板１８は、複数の貫通孔１８ｂ、１８ｃを設けた連結板本体１８ａからなり、正面板１６及び背面板１７との連結を強化するために複数箇所に補強材１８ｄが取り付けられている。貫通孔１８ｂ、１８ｃは外壁外断熱パネル用リブ１ａの重量を軽くするために設けられた貫通孔で、連結板１８の上部及び下部に設けられた貫通孔１８ｂよりも内側に設けられた貫通孔１８ｃ、１８ｃの方が若干大きい。
【００３４】
この縦長の貫通孔１８ｂ、１８ｃの大きさの違いは特に限定したものではなく、全て同じ大きさの貫通孔としてもよく、外壁外断熱パネル用リブ１ａとしての強度が強く、且つ軽量である状態で貫通孔を設けることが望ましい。
【００３５】
正面板１６と背面板１７に穿設された各第１連結孔１６ｂ、１７ｂ同士、各第２連結孔１６ｃ、１７ｃ同士が同じ位置で向かい合うように位置している。また、第１連結孔１７ｂ及び第２連結孔１７ｃの外周はナット隠しのため凹部となっており、ナットを嵌入することができる。
【実施例３】
【００３６】
図１０は、本発明である外壁外断熱パネル用リブの第３実施例を示した図である。図１０に示すように外壁外断熱パネル用リブ1ｂは、外壁外断熱パネル用リブ１ａの長さを更に伸ばしたもので、正面板１６と背面板１７と正面板１６および背面板１７を連結する連結板１８とからなる。
【００３７】
正面板１６は第１連結孔１６ｂ、第２連結孔１６ｃ、第３連結孔１６ｄ、第４連結孔１６ｅを穿設した正面板本体１６ａからなり、背面板１７は第１連結孔１７ｂ、第２連結孔１７ｃ、第３連結孔１７ｄ、第４連結孔１７ｅを穿設した背面板本体１７ａからなる。
【００３８】
連結板１８は、複数の貫通孔１８ｂ、１８ｃを設けた連結板本体１８ａからなり、正面板１６及び背面板１７との連結を強化するために複数箇所に補強材１８ｄが取り付けられている。
【００３９】
貫通孔１８ｂ、１８ｃは外壁外断熱パネル用リブ１ｂの重量を軽くするために設けられた貫通孔で、連結板１８の上部及び下部に設けられた貫通孔１８ｂよりも内側に設けられた貫通孔１８ｃ、１８ｃ・・・の方が若干大きい。
【００４０】
この縦長の貫通孔１８ｂ、１８ｃの大きさの違いは特に限定したものではなく、全て同じ大きさの貫通孔としてもよく、外壁外断熱パネル用リブ１ｂとしての強度が強く、且つ軽量である状態で貫通孔を設けることが望ましい。
【００４１】
正面板１６と背面板１７に穿設された各第１連結孔１６ｂ、１７ｂ同士、各第２連結孔１６ｃ、１７ｃ同士、各第３連結孔１６ｄ、１７ｄ同士、各第４連結孔１６ｅ、１７ｅ同士が同じ位置で向かい合うように位置している。
【００４２】
また、第１連結孔１７ｂ、第２連結孔１７ｃ、第３連結孔１７ｄ、第４連結孔１７ｅの外周はナット隠しのため凹部となっており、ナットを嵌入できるようになっている。
【００４３】
図１１は、本発明である外壁外断熱パネル用リブの第３実施例を使用した外壁外断熱パネルを示した図である。図１１に示すように、外壁外断熱パネル６ａは、外壁材１９と複数の外壁外断熱パネル用リブ１ｂ、１ｂ、１ｂとからなり、外壁外断熱パネル用リブ１ｂが外壁材１９に埋設されている。
【００４４】
外壁材１９は、上部に無数の上凸部１９ｂ、１９ｂ、１９ｂを備え、下部に無数の下凸部１９ｃ、１９ｃ、１９ｃを備えた発泡スチロール１９ａからなる。外壁材１９に外壁外断熱パネル用リブ１ｂが埋設されている。
【００４５】
しかし、これは外壁外断熱パネル用リブ１ｂの正面板１６の正面がむき出しの状態で埋設され、他の外壁面と正面板１６の正面が同じ高さになっている。また、外壁外断熱パネル用リブ１ｂの背面板１７も同様にむき出しの状態で埋設され、他の外壁面と背面板１７の背面が同じ高さになっている。
【００４６】
上凸部１９ｂの形状及び配置方法は外壁外断熱パネル６の上凸部７ｂと同様に四角柱であり、お互いの角を向き合わせた状態で設けられている。また、下凸部１９ｃの形状及び配置方法も外壁外断熱パネル６の下凸部７ｃと同様に中央に円柱の凸部を設け、その両側に半円中の凸部を設けている。更に、円柱状の下凸部１９ｃの中央には凹部が設けられている。
【００４７】
外壁外断熱パネル６ａ同士は縦に積み重ねて使用することができ、その際は、下にくる外壁外断熱パネル６ａの上凸部１９ｂ、１９ｂ、１９ｂ・・・の間に上にくる外壁外断熱パネル６ａの下凸部１９ｃ、１９ｃ、１９ｃ・・・をかみ合わせることによってしっかりと連結できる。また、この連結を強化するために接着剤等を使用することも可能である。
【実施例４】
【００４８】
図１２は、本発明である外壁外断熱パネル用リブの第４実施例を示した図である。図１２に示すように、外壁外断熱パネル用リブ1ｃは、正面板２０と背面板２３と、正面板２０と背面板２３を連結するための上下連結板２１、２２からなる。上下連結板２１、２２は、実施例１で示した上下連結板４、５と同じ構造をしている。
【００４９】
即ち、上連結板２１は、貫通孔２１ｂを設けた略台形状の上連結板本体２１ａからなる。下連結板２２は、貫通孔２２ｂを設けた略台形状の下連結板本体２２ａからなる。ただし、上連結板２１と下連結板２２とが接続された連結結合部には、固定棒９ａが挿通する貫通孔２３ｆが穿設されている。
【００５０】
正面板２０は中央に連結孔２０ｂを穿設し、正面上部に上突起板２０ｃを備え、正面下部に下突起板２０ｄを備えた長方形状の正面板本体２０ａからなり、正面板本体２０ａと上突起板２０ｃは上連結部２０ｅにより連結され、正面板本体２０ａと下突起板２０ｄは下連結部２０ｆによって連結されている。
【００５１】
背面板２３は、中央に連結孔２３ｅを穿設した長方形状の背面板本体２３ａからなる。背面板本体２３ａと上連結板本体２１ａの接続を強化するための上補強突起２３ｃと、背面板本体２３ａと下連結板本体２２ａの接続を強化するための下補強突起２３ｄが取り付けられている。
【００５２】
また、背面板本体２３ａの中央には、背面板本体２３ａと上下連結板本体２２ａ、２３ａを一緒に連結し、更に強化するための補強材２３ｂが取り付けられている。これらの補強材２３ｂや上下補強突起２３ｃ、２３ｄを用いているため、外壁外断熱パネル用リブ１ｃは強い強度を維持できる。
【００５３】
正面板本体２０ａと背面板本体２３ａの幅は一緒であるが、正面板本体２０ａは、背面板本体２３ａよりも縦の長さが短くなっており、正面板本体２０ａに穿設された連結孔２０ｂと背面板本体２３ａに穿設された連結孔２３ｅが同じ位置にくるように上下連結板２１、２２により連結されている。
【００５４】
外壁外断熱パネル用リブ１ｃを使用した外壁外断熱パネルでは、上下突起板２０ｃ、２０ｄは外壁材である発泡スチロール面より突出している状態で、外壁材内へ埋設されており、突出した上下突起板２０ｃ、２０ｄは流し込まれるコンクリート内に固定される。
【図面の簡単な説明】
【００５５】
【図１】本発明である外壁外断熱パネル用リブの第１実施例の斜視図である。
【図２】本発明である外壁外断熱パネル用リブの右側面図である。
【図３】本発明である外壁外断熱パネル用リブのＡ−Ａ線に沿った断面図である。
【図４】本発明である外壁外断熱パネル用リブの背面図である。
【図５】本発明である外壁外断熱パネルの斜視図である。
【図６】本発明である外壁外断熱パネルを使用した施工状況を示した斜視図である。
【図７】本発明である外壁外断熱パネルを使用した施工状況を示した側面図である。
【図８】本発明である外壁外断熱パネルを連結状態を示した拡大図である。
【図９】本発明である外壁外断熱パネル用リブの第２実施例を示した図である。
【図１０】本発明である外壁外断熱パネル用リブの第３実施例を示した図である。
【図１１】本発明である外壁外断熱パネル用リブの第３実施例を使用した外壁外断熱パネルを示した図である。
【図１２】本発明である外壁外断熱パネル用リブの第４実施例を示した図である。
【符号の説明】
【００５６】
１    外壁外断熱パネル用リブ
１ａ  外壁外断熱パネル用リブ
１ｂ  外壁外断熱パネル用リブ
１ｃ  外壁外断熱パネル用リブ
２    正面板
２ａ  正面板本体
２ｂ  上連結孔
２ｃ  下連結孔
３    背面板
３ａ  背面板本体
３ｂ  補強材
３ｃ  上補強突起
３ｄ  上ナット隠し
３ｅ  下ナット隠し
３ｆ  上連結孔
３ｇ  下連結孔
３ｈ  下補強突起
４    上連結板
４ａ  上連結板本体
４ｂ  上貫通孔
４ｃ  傾斜部
５    下連結板
５ａ  下連結板本体
５ｂ  下貫通孔
５ｃ  傾斜部
６    外壁外断熱パネル
６ａ  外壁外断熱パネル
７    外壁材
７ａ  発泡スチロール
７ｂ  上凸部
７ｃ  下凸部
７ｄ  凹部
８    ジョイナー
９    連結棒
９ａ  固定棒
１０    コーン
１１    ナット
１１ａ  ナット
１２    コンクリート
１２ａ  凹部
１３    ベニヤ板
１４    防水材
１５    ネット
１６    正面板
１６ａ  正面板本体
１６ｂ  第１連結孔
１６ｃ  第２連結孔
１６ｄ  第３連結孔
１６ｅ  第４連結孔
１７    背面板
１７ａ  背面板本体
１７ｂ  第１連結孔
１７ｃ  第２連結孔
１７ｄ  第３連結孔
１７ｅ  第４連結孔
１８    連結板
１８ａ  連結板本体
１８ｂ  貫通孔
１８ｃ  貫通孔
１８ｄ  補強材
１９    外壁材
１９ａ  発泡スチロール
１９ｂ  上凸部
１９ｃ  下凸部
２０    正面板
２０ａ  正面板本体
２０ｂ  連結孔
２０ｃ  上突起板
２０ｄ  下突起板
２０ｅ  上連結部
２０ｆ  下連結部
２１    上連結板
２１ａ  上連結板本体
２１ｂ  貫通孔
２２    下連結板
２２ａ  下連結板本体
２２ｂ  貫通孔
２３    背面板
２３ａ  背面板本体
２３ｂ  補強材
２３ｃ  上補強突起
２３ｄ  下補強突起
２３ｅ  連結孔
２３ｆ  貫通孔
【手続補正３】
【補正対象書類名】図面
【補正対象項目名】図３
【補正方法】変更
【補正の内容】
【図３】
2006274549.tif 000015
【手続補正４】
【補正対象書類名】図面
【補正対象項目名】図４
【補正方法】変更
【補正の内容】
【図４】
2006274549.tif 000016
【手続補正５】
【補正対象書類名】図面
【補正対象項目名】図１２
【補正方法】変更
【補正の内容】
【図１２】
2006274549.tif 000017
【手続補正書】
【提出日】平成18年3月2日(2006.3.2)
【手続補正１】
【補正対象書類名】特許請求の範囲
【補正対象項目名】全文
【補正方法】変更
【補正の内容】
【特許請求の範囲】
【請求項１】
略長方形状の正面板本体の上部には上連結孔が穿設されているとともに、前記正面板本体の下部には下連結孔が穿設されている正面板と、略長方形状の背面板本体の中心と上端との真ん中には中心に上連結孔を穿設した上ナット隠しがあり、前記背面板本体の中心と下端との真ん中には中心に下連結孔を穿設した下ナット隠しがある背面板と、前記正面板の上連結孔に前記背面板の上ナット隠しに穿設され上連結孔が対応し、前記正面板と前記背面板の縦の中心線より一方にズレた位置で接続し中央に上貫通孔を設け前記正面板と前記背面板とを接続する略台形状の上連結板と、前記正面板の下連結孔に前記背面板の下ナット隠しに穿設された下連結孔が対応し、前記正面板と前記背面板の縦の中心線より前記上連結板と逆方向にズレた位置で接続し中央に下貫通孔を設け、前記正面板と前記背面板を接続する略台形状の下連結板とからなり、前記上連結板と前記下連結板が連結する連結結合部の断面が略菱形状であることを特徴とする外壁外断熱パネル用リブ。
【請求項２】
上連結板と背面板との接続部分には上補強突起を、下連結板と背面板との接続部分には下補強突起を、前記上連結板と前記下連結板との連結結合部と背面板との接続部分には補強材を設けたことを特徴とする請求項１に記載の外壁外断熱パネル用リブ。
【請求項３】
正面板本体の上部に第１連結孔を穿設し、正面板本体の下部に第２連結孔を穿設した正面板と、前記正面板と同じ位置で向かい合い、背面板本体の上部にナットが嵌入し隠れるための凹部を形成した第１連結孔を穿設し、背面板本体の下部にナットが嵌入し隠れるための凹部を形成した第２連結孔を穿設した背面板と、前記正面板及び背面板を連結し、軽量化するために上部及び下部に設けた貫通孔よりも内側に設けた貫通孔を若干大きい複数の貫通孔を設けた連結板とからなり、前記正面板と前記連結板が連結する連結結合部及び前記背面板と前記連結板が連結する連結結合部に連結を強化するために複数の補強材を取り付けたことを特徴とする外壁外断熱パネル用リブ。
【請求項４】
貫通孔を同じ大きさとしたことを特徴とする請求項３に記載の外壁外断熱パネル用リブ。
【請求項５】
略長方形状の正面板本体の正面上部には連結部を介して上突起板を設けるとともに正面下部には下連結部を介して下突起板を設け、中央には連結孔を穿設した正面板と、略長方形状の背面板本体の中央に連結孔を穿設した背面板と、前記正面板と前記背面板の縦の中心線より一方にズレた位置で接続し、前記正面板と前記背面板とを接続する略台形状の上連結板と、前記正面板と前記背面板の縦の中心線より前記上連結板と逆方向にズレた位置で接続し前記正面板と前記背面板を接続する略台形状の下連結板とからなり、前記上連結板と前記下連結板が連結する連結結合部に前記連結孔に連通する貫通孔を穿設し、前記連結結合部の断面が略菱形状であることを特徴とする外壁外断熱パネル用リブ。
【請求項６】
上面には略四角柱の上凸部が平行且つ等間隔にあり、下面には中央に略円柱状の下凸部を等間隔にあり、前記略円柱状の下凸部の両側に平行して半円柱状の下凸部を有する略直方体状の発泡スチロールの外壁材と、請求項１に記載の外壁外断熱パネル用リブとからなり、前記外壁材内に前記外壁外断熱パネル用リブを平行且つ等間隔に外壁外断熱パネル用リブの正面板及び背面板の外面が外壁材の外面と同じ高さになるように外壁材内に外壁外断熱パネル用リブを平行且つ等間隔に複数埋設させたことを特徴とする外壁外断熱パネル。
【請求項７】
上面には略四角柱の上凸部が平行且つ等間隔にあり、下面には中央に略円柱状の下凸部を等間隔にあり、前記略円柱状の下凸部の両側に平行して半円柱状の下凸部を有する略直方体状の発泡スチロールの外壁材７と、請求項３に記載の外壁外断熱パネル用リブとからなり、前記外壁材内に前記外壁外断熱パネル用リブを平行且つ等間隔に外壁外断熱パネル用リブの正面板及び背面板の外面が外壁材の外面と同じ高さになるように外壁材内に外壁外断熱パネル用リブを平行且つ等間隔に複数埋設させたことを特徴とする外壁外断熱パネル。
【請求項８】
上面には略四角柱の上凸部が平行且つ等間隔にあり、下面には中央に略円柱状の下凸部を等間隔にあり、前記略円柱状の下凸部の両側に平行して半円柱状の下凸部を有する略直方体状の発泡スチロールの外壁材と、請求項５に記載の外壁外断熱パネル用リブとからなり、前記外壁材内に前記外壁外断熱パネル用リブを平行且つ等間隔に外壁外断熱パネル用リブの正面板及び背面板の外面が外壁材の外面と同じ高さになるように外壁材内に外壁外断熱パネル用リブを平行且つ等間隔に複数埋設させたことを特徴とする外壁外断熱パネル。
【手続補正２】
【補正対象書類名】明細書
【補正対象項目名】０００５
【補正方法】変更
【補正の内容】
【０００５】
本発明は、上記の課題を解決するために、略長方形状の正面板本体２ａの上部には上連結孔２ｂが穿設されているとともに、前記正面板本体２ａの下部には下連結孔２ｃが穿設されている正面板２と、略長方形状の背面板本体３ａの中心と上端との真ん中には中心に上連結孔３ｆを穿設した上ナット隠し３ｄがあり、前記背面板本体３ａの中心と下端との真ん中には中心に下連結孔３ｊを穿設した下ナット隠し３ｅがある背面板３と、前記正面板２の上連結孔２ｂに前記背面板３の上ナット隠し３ｄに穿設され上連結孔３ｆが対応し、前記正面板２と前記背面板３の縦の中心線より一方にズレた位置で接続し中央に上貫通孔４ｂを設け前記正面板２と前記背面板３とを接続する略台形状の上連結板４と、前記正面板２の下連結孔２ｃに前記背面板３の下ナット隠し３ｅに穿設された下連結孔３ｇが対応し、前記正面板２と前記背面板３の縦の中心線より前記上連結板２と逆方向にズレた位置で接続し中央に下貫通孔５ｂを設け、前記正面板２と前記背面板３を接続する略台形状の下連結板５とからなり、前記上連結板４と前記下連結板５が連結する連結結合部の断面が略菱形状であることを特徴とする外壁外断熱パネル用リブの構成、正面板本体１６ａの上部に第１連結孔１６ｂを穿設し、正面板本体１６ａの下部に第２連結孔１６ｃを穿設した正面板１６と、前記正面板１６と同じ位置で向かい合い、背面板本体１７ａの上部にナットが嵌入し隠れるための凹部を形成した第１連結孔１７ｂを穿設し、背面板本体１７ａの下部にナットが嵌入し隠れるための凹部を形成した第２連結孔１７ｃを穿設した背面板１７と、前記正面板１６及び背面板１７を連結し、軽量化するために上部及び下部に設けた貫通孔１８ｂ、１８ｂよりも内側に設けた貫通孔１８ｃ、１８ｃを若干大きい複数の貫通孔１８ｂ、１８ｃを設けた連結板１８とからなり、前記正面板１６と前記連結板１８が連結する連結結合部及び前記背面板１７と前記連結板１８が連結する連結結合部に連結を強化するために複数の補強材１８ｄを取り付けたことを特徴とする外壁外断熱パネル用リブの構成、略長方形状の正面板本体２０ａの正面上部には連結部２０ｅを介して上突起板２０ｃを設けるとともに正面下部には下連結部２０ｆを介して下突起板２０ｄを設け、中央には連結孔２０ｂを穿設した正面板２と、略長方形状の背面板本体３ａの中央に連結孔２３ｅを穿設した背面板３と、前記正面板２０と前記背面板２３の縦の中心線より一方にズレた位置で接続し、前記正面板２０と前記背面板２３とを接続する略台形状の上連結板２１と、前記正面板２０と前記背面板２３の縦の中心線より前記上連結板２１と逆方向にズレた位置で接続し前記正面板２０と前記背面板２３を接続する略台形状の下連結板２２とからなり、前記上連結板２１と前記下連結板２２が連結する連結結合部に前記連結孔２３ｅに連通する貫通孔２３ｆを穿設し、前記連結結合部の断面が略菱形状であることを特徴とする外壁外断熱パネル用リブの構成、上面には略四角柱の上凸部７ｂが平行且つ等間隔にあり、下面には中央に略円柱状の下凸部７ｃを等間隔にあり、前記略円柱状の下凸部７ｃの両側に平行して半円柱状の下凸部７ｃを有する略直方体状の発泡スチロール７ａの外壁材７と、請求項１に記載の外壁外断熱パネル用リブ１とからなり、前記外壁材７内に前記外壁外断熱パネル用リブ１を平行且つ等間隔に外壁外断熱パネル用リブ１の正面板２及び背面板３の外面が外壁材７の外面と同じ高さになるように外壁材７内に外壁外断熱パネル用リブ１を平行且つ等間隔に複数埋設させたことを特徴とする外壁外断熱パネルの構成、上面には略四角柱の上凸部７ｂが平行且つ等間隔にあり、下面には中央に略円柱状の下凸部７ｃを等間隔にあり、前記略円柱状の下凸部７ｃの両側に平行して半円柱状の下凸部７ｃを有する略直方体状の発泡スチロール７ａの外壁材７と、請求項３に記載の外壁外断熱パネル用リブ１とからなり、前記外壁材７内に前記外壁外断熱パネル用リブ１を平行且つ等間隔に外壁外断熱パネル用リブ１の正面板２及び背面板３の外面が外壁材７の外面と同じ高さになるように外壁材７内に外壁外断熱パネル用リブ１を平行且つ等間隔に複数埋設させたことを特徴とする外壁外断熱パネルの構成及び上面には略四角柱の上凸部７ｂが平行且つ等間隔にあり、下面には中央に略円柱状の下凸部７ｃを等間隔にあり、前記略円柱状の下凸部７ｃの両側に平行して半円柱状の下凸部７ｃを有する略直方体状の発泡スチロール７ａの外壁材７と、請求項５に記載の外壁外断熱パネル用リブ１とからなり、前記外壁材７内に前記外壁外断熱パネル用リブ１を平行且つ等間隔に外壁外断熱パネル用リブ１の正面板２及び背面板３の外面が外壁材７の外面と同じ高さになるように外壁材７内に外壁外断熱パネル用リブ１を平行且つ等間隔に複数埋設させたことを特徴とする外壁外断熱パネルの構成とした。
【手続補正書】
【提出日】平成18年5月15日(2006.5.15)
【手続補正１】
【補正対象書類名】特許請求の範囲
【補正対象項目名】請求項３
【補正方法】変更
【補正の内容】
【請求項３】
正面板本体の上部に第１連結孔を穿設し、正面板本体の下部に第２連結孔を穿設した正面板と、前記正面板と同じ位置で向かい合い、背面板本体の上部にナットが嵌入し隠れるための凹部を形成した第１連結孔を穿設し、背面板本体の下部にナットが嵌入し隠れるための凹部を形成した第２連結孔を穿設した背面板と、前記正面板と前記背面板を連結し、軽量化するために上部及び下部に貫通孔を設けるとともに前記貫通孔よりも内側に前記貫通孔よりも若干大きい貫通孔を複数設けた連結板とからなり、前記正面板と前記連結板が連結する連結結合部及び前記背面板と前記連結板が連結する連結結合部に連結を強化するために複数の補強材を取り付け、前記正面板と前記背面板に穿設した各第１連結孔同士及び各第２連結孔同士が、前記連結板１８を貫通する孔と同じ位置で向かい合うようにしたことを特徴とする外壁外断熱パネル用リブ。
【手続補正２】
【補正対象書類名】明細書
【補正対象項目名】０００５
【補正方法】変更
【補正の内容】
【０００５】
本発明は、上記の課題を解決するために、略長方形状の正面板本体２ａの上部には上連結孔２ｂが穿設されているとともに、前記正面板本体２ａの下部には下連結孔２ｃが穿設されている正面板２と、略長方形状の背面板本体３ａの中心と上端との真ん中には中心に上連結孔３ｆを穿設した上ナット隠し３ｄがあり、前記背面板本体３ａの中心と下端との真ん中には中心に下連結孔３ｊを穿設した下ナット隠し３ｅがある背面板３と、前記正面板２の上連結孔２ｂに前記背面板３の上ナット隠し３ｄに穿設され上連結孔３ｆが対応し、前記正面板２と前記背面板３の縦の中心線より一方にズレた位置で接続し中央に上貫通孔４ｂを設け前記正面板２と前記背面板３とを接続する略台形状の上連結板４と、前記正面板２の下連結孔２ｃに前記背面板３の下ナット隠し３ｅに穿設された下連結孔３ｇが対応し、前記正面板２と前記背面板３の縦の中心線より前記上連結板２と逆方向にズレた位置で接続し中央に下貫通孔５ｂを設け、前記正面板２と前記背面板３を接続する略台形状の下連結板５とからなり、前記上連結板４と前記下連結板５が連結する連結結合部の断面が略菱形状であることを特徴とする外壁外断熱パネル用リブの構成、
正面板本体１６ａの上部に第１連結孔１６ｂを穿設し、正面板本体１６ａの下部に第２連結孔１６ｃを穿設した正面板１６と、前記正面板１６と同じ位置で向かい合い、背面板本体１７ａの上部にナットが嵌入し隠れるための凹部を形成した第１連結孔１７ｂを穿設し、背面板本体１７ａの下部にナットが嵌入し隠れるための凹部を形成した第２連結孔１７ｃを穿設した背面板１７と、前記正面板１６と前記背面板１７を連結し、軽量化するために上部及び下部に貫通孔１８ｂ、１８ｂを設けるとともに前記貫通孔１８ｂ、１８ｂよりも内側に前記貫通孔１８ｂ、１８ｂよりも若干大きい貫通孔１８ｃ、１８ｃを複数設けた連結板１８とからなり、前記正面板１６と前記連結板１８が連結する連結結合部及び前記背面板１７と前記連結板１８が連結する連結結合部に連結を強化するために複数の補強材１８ｄ、１８ｄ、１８ｄ、１８ｄ、１８ｄ、１８ｄを取り付け、前記正面板１６と前記背面板１７に穿設した各第１連結孔同士１６ｂ、１７ｂ及び各第２連結孔同士１６ｃ、１７ｃが、前記連結板１８を貫通する孔と同じ位置で向かい合うようにしたことを特徴とする外壁外断熱パネル用リブ１ａの構成、略長方形状の正面板本体２０ａの正面上部には連結部２０ｅを介して上突起板２０ｃを設けるとともに正面下部には下連結部２０ｆを介して下突起板２０ｄを設け、中央には連結孔２０ｂを穿設した正面板２と、略長方形状の背面板本体３ａの中央に連結孔２３ｅを穿設した背面板３と、前記正面板２０と前記背面板２３の縦の中心線より一方にズレた位置で接続し、前記正面板２０と前記背面板２３とを接続する略台形状の上連結板２１と、前記正面板２０と前記背面板２３の縦の中心線より前記上連結板２１と逆方向にズレた位置で接続し前記正面板２０と前記背面板２３を接続する略台形状の下連結板２２とからなり、前記上連結板２１と前記下連結板２２が連結する連結結合部に前記連結孔２３ｅに連通する貫通孔２３ｆを穿設し、前記連結結合部の断面が略菱形状であることを特徴とする外壁外断熱パネル用リブの構成、
上面には略四角柱の上凸部７ｂが平行且つ等間隔にあり、下面には中央に略円柱状の下凸部７ｃを等間隔にあり、前記略円柱状の下凸部７ｃの両側に平行して半円柱状の下凸部７ｃを有する略直方体状の発泡スチロール７ａの外壁材７と、請求項１に記載の外壁外断熱パネル用リブ１とからなり、前記外壁材７内に前記外壁外断熱パネル用リブ１を平行且つ等間隔に外壁外断熱パネル用リブ１の正面板２及び背面板３の外面が外壁材７の外面と同じ高さになるように外壁材７内に外壁外断熱パネル用リブ１を平行且つ等間隔に複数埋設させたことを特徴とする外壁外断熱パネルの構成、上面には略四角柱の上凸部７ｂが平行且つ等間隔にあり、下面には中央に略円柱状の下凸部７ｃを等間隔にあり、前記略円柱状の下凸部７ｃの両側に平行して半円柱状の下凸部７ｃを有する略直方体状の発泡スチロール７ａの外壁材７と、請求項３に記載の外壁外断熱パネル用リブ１とからなり、前記外壁材７内に前記外壁外断熱パネル用リブ１を平行且つ等間隔に外壁外断熱パネル用リブ１の正面板２及び背面板３の外面が外壁材７の外面と同じ高さになるように外壁材７内に外壁外断熱パネル用リブ１を平行且つ等間隔に複数埋設させたことを特徴とする外壁外断熱パネルの構成及び上面には略四角柱の上凸部７ｂが平行且つ等間隔にあり、下面には中央に略円柱状の下凸部７ｃを等間隔にあり、前記略円柱状の下凸部７ｃの両側に平行して半円柱状の下凸部７ｃを有する略直方体状の発泡スチロール７ａの外壁材７と、請求項５に記載の外壁外断熱パネル用リブ１とからなり、前記外壁材７内に前記外壁外断熱パネル用リブ１を平行且つ等間隔に外壁外断熱パネル用リブ１の正面板２及び背面板３の外面が外壁材７の外面と同じ高さになるように外壁材７内に外壁外断熱パネル用リブ１を平行且つ等間隔に複数埋設させたことを特徴とする外壁外断熱パネルの構成とした。